【手続補正書】
【提出日】平成19年8月31日(2007.8.31)
【手続補正１】
【補正対象書類名】明細書
【補正対象項目名】発明の名称
【補正方法】変更
【補正の内容】
【発明の名称】ノイズ抑制方法
【手続補正２】
【補正対象書類名】明細書
【補正対象項目名】特許請求の範囲
【補正方法】変更
【補正の内容】
【特許請求の範囲】
【請求項１】
送信入力信号を定められた単位のフレームに分割するとともに、このフレームを所定数の周波数帯域に分割してフレームごとに雑音フレームか否かの判定を行い、この判定結果に基づいて周波数帯域ごとにゲインを制御してノイズ抑制された送信信号を出力するノイズ抑制方法において、
帯域別パワーと帯域別雑音パワー推定値との差に所定の重み付けを行った帯域別有意値の現フレームと前フレームとの差を合計した値を、その平均値で正規化した比率が所定のしきい値を所定の期間連続して下回った際に現フレームを雑音フレームと判定することを特徴とするノイズ抑制方法。
【請求項２】
送信入力信号を定められた単位のフレームに分割するとともに、このフレームを所定数の周波数帯域に分割してフレームごとに雑音フレームか否かの判定を行い、この判定結果に基づいて周波数帯域ごとにゲインを制御してノイズ制御された送信信号を出力するノイズ抑制方法において、
前記周波数帯域ごとに帯域別パワーと帯域別雑音パワー推定値との差を求め、この差を周波数順に並べたときに、第１のしきい値を上回る差が複数個連続していれば、これらの第１のしきい値を上回る連続した差に対して所定の重み付けを行った値の総和を求め、前記総和が第２のしきい値を下回った際に現フレームを雑音フレームと判定することを特徴とするノイズ抑制方法。
【請求項３】  
送信入力信号を定められた単位のフレームに分割するとともに、このフレームを所定数の周波数帯域に分割してフレームごとに雑音フレームか否かの判定を行い、この判定結果に基づいて帯域ごとにゲインを制御してノイズ抑制された送信信号を出力するノイズ抑制方法において、
前記分割された周波数帯域について帯域別パワーを算定する帯域別パワー算定ステップと、
前記分割された周波数帯域について帯域別雑音パワー推定値と前記帯域別パワーとの差およびこの差に所定の重み付けを行った帯域別有意値を算定し、この差を周波数順に並べたときに、第１のしきい値を上回る差が複数個連続していれば、これらの第１のしきい値を上回る連続した差に対応する帯域別有意値を合計して有意値を算定する有意値算定ステップと、
現フレームと前のフレームとの間で、前記分割された周波数帯域について前記帯域別有意値の差の絶対値和をとる帯域別有意値和算定ステップと、
前記絶対値和の平均値を算定し、前記絶対値和をこの絶対値和の平均値で正規化した比率を算定する有意値正規化ステップと、
前記有意値が第２のしきい値を下回った場合に現フレームを雑音フレームと判断し、前記帯域別雑音パワー推定値を更新する第１の雑音パワー推定値更新ステップと、
前記比率が第３のしきい値を所定の期間連続して下回った際に現フレームを雑音フレームと判断し、前記帯域別雑音パワー推定値の更新を行う第２の雑音パワー推定値更新ステップとを有することを特徴とするノイズ抑制方法。
【請求項４】
前記有意値正規化ステップにおいて絶対値和の平均値として、前記絶対値和のリーク積分を用いて得られた前記平均値の推定値を用いることを特徴とする請求項３記載のノイズ抑制方法。
【請求項５】
前記有意値正規化ステップにおいて絶対値和の平均値として、前記絶対値和の標準偏差のリーク積分を用いて得られた前記平均値の推定値を用いることを特徴とする請求項３記載のノイズ抑制方法。
【手続補正３】
【補正対象書類名】明細書
【補正対象項目名】００１３
【補正方法】変更
【補正の内容】
【００１３】
すなわち本発明は、送信入力信号を定められた単位のフレームに分割するとともに、このフレームを所定数の周波数帯域に分割してフレームごとに雑音フレームか否かの判定を行い、この判定結果に基づいて周波数帯域ごとにゲインを制御してノイズ抑制された送信信号を出力するノイズ抑制方法において、帯域別パワーと帯域別雑音パワー推定値との差に所定の重み付けを行った帯域別有意値の現フレームと前フレームとの差を合計した値を、その平均値で正規化した比率が所定のしきい値を所定の期間連続して下回った際に現フレームを雑音フレームと判定することを特徴とするノイズ抑制方法である。
【手続補正４】
【補正対象書類名】明細書
【補正対象項目名】００１４
【補正方法】変更
【補正の内容】
【００１４】
このように過去フレームとの帯域別有意値の偏差を利用し、この偏差合計値の平均値で偏差を正規化した値を判定根拠に用いることでフレーム毎のばらつきを緩和することができるので、安定した雑音フレーム判定を行うことができる。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００４０
【補正方法】変更
【補正の内容】
【００４０】
tmp＝chanel#power(m,k)−noise#power(m,k)
suby(m,k)＝｛200−(k−1)2｝／100×（tmp−1）
ただし、｛200−(k−1)2｝は重み付け係数である。この場合、帯域の周波数が高くなるにつれ小さくなるように設定されているが、適宜変更可能である。
【手続補正１０】
【補正対象書類名】明細書
【補正対象項目名】００５８
【補正方法】変更
【補正の内容】
【００５８】
ｙ＞１０かつcounter(m−1)＜１００かつr(m)≦ＴＨＲのとき、counter(m−1)に１が加算された値をcounter(m)として算出する。
【手続補正１１】
【補正対象書類名】明細書
【補正対象項目名】００６１
【補正方法】変更
【補正の内容】
【００６１】
ステップ４ｎで有意値ｙが１０を超えていると判定され、ステップ４ｏでカウンタcounter(m−1)が１００未満と判定され、ステップ４ｐで比率ｒがＴＨＲ以下と判定された場合は、ステップ４ｑでカウンタcounter(m−1)に１が加算された値をcounter(m)として算出し、それ以外の場合はステップ４ｒにてカウンタcounter(m)は０にリセットされる。
【手続補正１２】
【補正対象書類名】明細書
【補正対象項目名】００６２
【補正方法】変更
【補正の内容】
【００６２】
同様にステップ４ｎで有意値ｙが１０以下と判定された場合はステップ４ｓでカウンタcounter(m)は０にリセットされ、ステップ４ｏでcounter(m−1)が１００以上（すなわち１００）の場合はステップ４ｔでcounter(m)＝counter(m−1)に据え置かれる。
【手続補正１３】
【補正対象書類名】明細書
【補正対象項目名】００７２
【補正方法】変更
【補正の内容】
【００７２】
このような本発明のノイズキャンセラ（ノイズ抑制方法）によれば、各フレームの有意値ｙが大きく（通常は音声と判断される）、前フレームとの帯域別差の差分の変化が小さい（ただし平均値で正規化したもので判断）フレームが連続した場合（例えば１００フレーム）は雑音フレームと判断し、雑音パワー推定値を強制更新する。
【手続補正１４】
【補正対象書類名】図面
【補正対象項目名】図４
【補正方法】変更
【補正の内容】
【図４】
2002076960.tif 000001